(57)【特許請求の範囲】
【請求項１】
１年目に、リンドウの苗を定植して株を養成する株養成を行い、２年目以降の各年に、株から発生し育成されて着花した茎をその一部の茎を残して収穫し、その残した茎で再び株養成を行うようにしたリンドウの栽培方法において、
通路を挟んで複数列の畝を所定の間隔で形成し、上記リンドウの苗を、養成される株が上記畝にその長手方向に沿い所定の間隔で複数条状に設けられ、且つ、該株の条が所定間隔で複数列設けられるように定植するとともに、上記隣接する株の条同士において上記畝の長手方向に沿う株の位相がずれて配置されるように定植し、
上記リンドウの苗を、養成される株の株間寸法を２５ｃｍ以上にし、養成される株が１アール当たり２５０〜５００株になるように定植することを特徴とするリンドウの栽培方法。
【請求項２】
上記養生される株が、１アール当たり３００〜４００株になるように定植することを特徴とする請求項１記載のリンドウの栽培方法。
【請求項３】
上記株の条が上記畝に２条設けられるようにし、
上記畝の畝間寸法をＡとし、上記畝の長手方向に沿う株の株間寸法をＢとし、上記株の条の条間寸法をＣとしたとき、Ａ＝１４０ｃｍ〜１８０ｃｍ、Ｂ＝２５ｃｍ〜４０ｃｍ、Ｃ＝２５ｃｍ〜４５ｃｍにしたことを特徴とする請求項１または２記載のリンドウの栽培方法。
【請求項４】
上記隣接する株の条同士において、上記株の位相が、（１／２）Ｂずれるようにしたことを特徴とする請求項３記載のリンドウの栽培方法。
【請求項５】
１年目において、リンドウの苗を畝に定植して株を養成する株養成を行い、
２年目において、上記１年目に養成された株から萌芽した芽をそのままにして育成し、若しくは、芽を摘んで１株当たり所定本数残す株仕立てを行って育成し、開花期に着花した茎を１株当たり数本収穫して他の茎を残し、その残した茎で株養成を行い、
３年目において、上記２年目に養成された株から萌芽した芽をそのままにして育成し、若しくは、芽を摘んで１株当たり所定本数以上残す株仕立てを行って育成し、開花期に着花した茎を１株当たり数本残して他の茎を収穫し、その残した茎で株養成を行い、
４年目以降において、上記３年目と同様に育成，収穫，株養成を行うことを特徴とする請求項３または４記載のリンドウの栽培方法。
【請求項６】
上記２年目の株仕立ては、芽を１株当たり８〜１２本残し、収穫時に１株当たり３本以下の茎を収穫することを特徴とする請求項５記載のリンドウの栽培方法。
【請求項７】
上記３年目の株仕立ては、芽を１株当たり２０本以上残し、収穫時に茎を１株当たり３〜５本残して他の茎を収穫することを特徴とする請求項６記載のリンドウの栽培方法。
【発明の詳細な説明】
【技術分野】
【０００１】
本発明は、多年生植物であるリンドウの栽培方法に関する。
【背景技術】
【０００２】
従来から、リンドウの栽培方法においては、図１０に示すように、通路１０１を挟んで複数列の畝１００を所定の畝幅（ａ）で形成し、リンドウの苗を、養成される株Ｋが畝１００にその長手方向に沿い所定の株間寸法（ｂ）で複数条状に設けられ、且つ、株の条が所定の条間寸法（ｃ）で複数列、例えば２列設けられるように定植する。従来においては、ａ＝１４０ｃｍ〜１８０ｃｍ、ｂ＝１５ｃｍ〜２０ｃｍ、ｃ＝２５ｃｍ〜４５ｃｍにしている。図１１に、各県のリンドウ栽培において、現在実施されている畝幅（ａ），株間寸法（ｂ）及び条間寸法（ｃ）の例を示す。図１０に示すように、条同士においては、畝１００の長手方向に直交する方向に一対の株Ｋが並んで配置される。そして、畝１００に多数の支柱（図示せず）を立設して、これにネット（図示せず）を張設し、このネットで株から発生する茎を支持して茎の倒伏を防止しながら育成を行うようにしている（例えば、特許第２５７４１０１号公報参照）。
【０００３】
このリンドウの栽培に際しては、先ず、１年目に、リンドウの苗を定植して株を養成する株養成を行い、２年目以降の各年に、株から発生し育成されて着花した茎をその一部の茎を残して収穫し、その残した茎で再び株養成を行うようにしている。より具体的には、従来においては、１アール当たり５５０〜９００株を定植し、定植１年目は、株を養成する株養成を行って株を大きくすることに徹し、定植２年目以降、株から発生する芽を摘んで１株当たり１０本程度に制限する株仕立てを行い、生育期後半に２年目は３本程度、３年目以降は７本程度を収穫し、養分を地下部に貯めこませるために茎を３本程度養成茎として残し、収穫後に茎を残した株を養成する株養成を行うようにして、多数年にわたって収穫を行うようにしている（例えば、「平成２９年度花き栽培技術指針」（岩手県）など参照）。図１１に、各県で現在実施されているリンドウの栽植密度を示す。
【先行技術文献】
【特許文献】
【０００４】
【特許文献１】特許第２５７４１０１号公報
【発明の概要】
【発明が解決しようとする課題】
【０００５】
しかしながら、上記従来のリンドウの栽培方法にあっては、株の条は１畝当たり２条で余裕はあるものの、各条において株間寸法が１５ｃｍ〜２０ｃｍと比較的狭く、畝の長手方向に直交する方向に一対の株が並んで配置されているので、茎が密集してしまい、生育不十分な茎や、曲がった茎が規格外品として生じやすく、１株当たりの実質的収量に劣るという問題があった。
【０００６】
また、近年の気候温暖化に伴い、病害虫が多発しやすく、減収の要因になっている。そのため、薬剤散布を行うが、上記のとおり茎が密集しているので、薬剤散布が不十分になりやすく、出荷の対象にならない病害虫の発生した茎が生じる度合いも多くなっているという実情もある。更に、近年、生育の旺盛な品種が開発され、株から発生する茎が２０本以上となる品種が多く、そのため、株仕立てする際にも茎が密集していると作業がやりにくくなり、その分、作業性が悪く、株仕立て作業に要する時間も長くなって、作業効率を損ねているという問題もあった。
【０００７】
このため、上記の１アール当たり５５０〜９００株を定植する従来の方法にあっては、計算上、１株当たり７本収穫するとして、収穫本数は、１アール当たり３，８５０〜６，３００本となるが、実際には、上記の出荷規格の基準に到達しない生育不十分な茎や、曲がった茎は規格外品として出荷できないことに加えて、病害虫の発生した茎があればそれらも出荷の対象にはならないため、岩手県での出荷本数は１アール当たり平均約１，９００本になっている。
【０００８】
本発明は、上記の点に鑑みてなされたもので茎が密集しないように栽培できるようにして、茎の生育を十分に行わせるようにし、薬剤散布を容易にして病害虫の発生した茎の発生を抑制し、もって、１株当たりの規格品の実質的収量の向上を図ったリンドウの栽培方法を提供することを目的とする。
【課題を解決するための手段】
【０００９】
このような目的を達成するための本発明のリンドウの栽培方法は、１年目に、リンドウの苗を定植して株を養成する株養成を行い、２年目以降の各年に、株から発生し育成されて着花した茎をその一部の茎を残して収穫し、その残した茎で再び株養成を行うようにしたリンドウの栽培方法において、
上記リンドウの苗を、養成される株の株間寸法を２５ｃｍ以上にし、養成される株が１アール当たり２５０〜５００株になるように定植する構成としている。より望ましくは３００〜４００株である。
【００１０】
リンドウ（竜胆）は、リンドウ科リンドウ属の多年生植物であり、１変種（Ｇｅｎｔｉａｎａ  ｓｃａｂｒａ  ｖａｒ．ｂｕｅｒｇｅｒｉ）をさすことが多いが、近縁の他品種や他種を含む総称名をいう。キリシマリンドウ，シンキリシマリンドウ，オヤマリンドウ，エゾリンドウ，エゾオヤマリンドウ，ホソバリンドウ，シロバナリンドウ，クマガワリンドウ，アケボノリンドウ等を挙げることができる。
【００１１】
これにより、隣接する株同士においては、株間寸法が２５ｃｍ以上になり、全体でも養成される株が１アール当たり２５０〜５００株になるので、疎植栽培になり、株の周囲のスペースを大きくとることができることから、茎が密集してしまう事態を解消することができる。そのため、茎の生育を円滑に行わせることができ、生育が不十分な茎や、曲がった茎が規格外品として生じる事態を低減することができる。また、薬剤散布においても、株の周囲のスペースを大きくとることができることから、それだけ、薬剤散布が不十分になる事態を防止することができ、このため、出荷の対象にならない病害虫の発生した茎が生じる度合いを低減することができる。
【００１２】
そのため、リンドウの苗の定植本数は、１アール当たり２５０〜５００株になる本数であり、従来方法と比較して、およそ半減するが、１株当たりのリンドウの出荷可能本数を増加させることができ、規格品の実質的収量を大幅に向上させることができる。また、株の周囲のスペースを大きくとることができることから、株仕立てする際には、その作業がやりやすくなり、それだけ、作業性を向上させ、株仕立て作業に要する時間を少なくすることができ、作業効率を大幅に向上させることができる。その結果、コストダウンも図ることができる。
【００１３】
尚、１アール当たり２５０株に満たないと、１株当たりの茎の数を多くする調整を行って収穫本数を増やさなければならないが、それだと、１株の栄養分が多くの茎に分散するため、生育不十分な茎も多く発生する傾向にあり、結果的に出荷可能本数は増えにくくなる。５００株以上では本発明の作用，効果を発揮することができない。
【００１４】
そして、必要に応じ、通路を挟んで複数列の畝を所定の間隔で形成し、上記リンドウの苗を、養成される株が上記畝にその長手方向に沿い所定の間隔で複数条状に設けられ、且つ、該株の条が所定間隔で複数列設けられるように定植するとともに、上記隣接する株の条同士において上記畝の長手方向に沿う株の位相がずれて配置されるように定植する構成としている。
【００１５】
これにより、隣接する株の条同士においては、畝の長手方向に沿う株の位相がずれて配置され、所謂千鳥状に配置されるので、従来のように、畝の長手方向に直交する方向に、一対の株が並んで配置されることがなく、株の周囲のスペースを確実に大きくとることができることから、茎が密集してしまう事態を確実に解消することができる。そのため、茎の生育を円滑に行わせることができ、生育が不十分な茎や、曲がった茎が規格外品として生じる事態を低減することができる。また、薬剤散布においても、株の周囲のスペースを大きくとることができることから、それだけ、薬剤散布が不十分になる事態を防止することができ、このため、出荷の対象にならない病害虫の発生した茎が生じる度合いを低減することができる。更に、株の周囲のスペースを大きくとることができることから、株仕立てする際には、その作業がやりやすくなり、それだけ、作業性を向上させ、株仕立て作業に要する時間を少なくすることができ、作業効率を大幅に向上させることができる。その結果、１株当たりのリンドウの出荷可能本数を増加させることができ、規格品の実質的収量を大幅に向上させることができるとともに、コストダウンを図ることができる。
【００１６】
そして、必要に応じ、上記株の条が上記畝に２条設けられるようにし、
上記畝の畝間寸法をＡとし、上記畝の長手方向に沿う株の株間寸法をＢとし、上記株の条の条間寸法をＣとしたとき、Ａ＝１４０ｃｍ〜１８０ｃｍ、Ｂ＝２５ｃｍ〜４０ｃｍ、Ｃ＝２５ｃｍ〜４５ｃｍにした構成としている。尚、床幅や通路幅は、７０ｃｍ〜９０ｃｍになる。
これにより、株間寸法ＢがＢ＝２５ｃｍ〜４０ｃｍとなり、従来の１５ｃｍ〜２０ｃｍと比較して、適正な株間になり、本発明の作用，効果を確実に発揮させることができる。即ち、単位面積当たりの定植数は減るが、１株当たりのリンドウの出荷可能本数を確実に増加させることができる。
【００１７】
また、必要に応じ、上記隣接する株の条同士において、上記株の位相が、（１／２）Ｂずれるようにした構成としている。これにより、隣接する株の条同士においても株間を一定のものにすることができ、より一層、適正な株間になり、本発明の作用，効果を確実に発揮させることができる。
【００１８】
そしてまた、必要に応じ、１年目において、リンドウの苗を畝に定植して株を養成する株養成を行い、
２年目において、上記１年目に養成された株から萌芽した芽をそのままにして育成し、若しくは、芽を摘んで１株当たり所定本数残す株仕立てを行って育成し、開花期に着花した茎を１株当たり数本収穫して他の茎を残し、その残した茎で株養成を行い、
３年目において、上記２年目に養成された株から萌芽した芽をそのままにして育成し、若しくは、芽を摘んで１株当たり所定本数以上残す株仕立てを行って育成し、開花期に着花した茎を１株当たり数本残して他の茎を収穫し、その残した茎で株養成を行い、
４年目以降において、上記３年目と同様に育成，収穫，株養成を行う構成としている。
【００１９】
これにより、２年目において、多少の収穫を得ることができるとともに、株養成を確実に行うことができる。また、３年目以降においては、株に生育した１株当たりの茎の本数が増加することから、収量を大幅に増やすことができる。また、後述の試験例からも分かるように、従来の栽培方法に比較して、規格の等級の高い花の収量比率が高くなり、栽培効率を大幅に向上させることができる。更に、収穫の際には、茎を１株当たり数本残すので、株養成を確実に行うことができる。そのため、収量を安定的に確保することができる。また、株仕立てを行わない場合（以下「放任株仕立て」という）では、それだけ、株仕立てに要する作業が不要になるので、作業効率を大幅に向上させることができる。
【００２０】
この場合、上記２年目の株仕立ては、芽を１株当たり８〜１２本残し、収穫時に１株当たり３本以下の茎を収穫することが有効である。これは、株仕立てを行う場合の条件であり、収穫時に残す茎の本数が多いので、株養成をより一層確実に行うことができる。
【００２１】
また、この場合、上記３年目の株仕立ては、芽を１株当たり２０本以上残し、収穫時に茎を１株当たり３〜５本残して他の茎を収穫することが有効である。これは、株仕立てを行う場合の条件であり、株仕立てにより株に生育した茎を確実に育成することができ、茎の収量を確実に増やすことができる。
【発明の効果】
【００２２】
本発明によれば、隣接する株同士においては、株間寸法が２５ｃｍ以上になり、全体でも養成される株が１アール当たり２５０〜５００株になるので、疎植栽培になり、株の周囲のスペースを大きくとることができることから、茎が密集してしまう事態を解消することができる。そのため、茎の生育を円滑に行わせることができ、生育が不十分な茎や、曲がった茎が規格外品として生じる事態を低減することができる。また、薬剤散布においても、株の周囲のスペースを大きくとることができることから、それだけ、薬剤散布が不十分になる事態を防止することができ、このため、出荷の対象にならない病害虫の発生した茎が生じる度合いを低減することができる。
【００２３】
そのため、リンドウの苗の定植本数は、１アール当たり２５０〜５００株になる本数であり、従来方法と比較して、およそ半減するが、１株当たりのリンドウの出荷可能本数を増加させることができ、規格品の実質的収量を大幅に向上させることができる。また、株の周囲のスペースを大きくとることができることから、株仕立てする際には、その作業がやりやすくなり、それだけ、作業性を向上させ、株仕立て作業に要する時間を少なくすることができ、作業効率を大幅に向上させることができる。その結果、コストダウンも図ることができる。
【図面の簡単な説明】
【００２４】
【図１】本発明の実施の形態に係るリンドウの栽培方法を示す斜視図である。
【図２】本発明の実施の形態に係るリンドウの栽培方法を示す平面図である。
【図３】本発明の実施の形態に係るリンドウの栽培方法において、１年目から３年目に行う栽培内容を経時的に示す表図である。
【図４】本発明の実施例１，２において、定植３年目の立茎数（平均値±標準偏差）を比較例１，２の立茎数とともに示す表図である。
【図５】リンドウの標準出荷規格（岩手県）を示す表図である。
【図６】本発明の実施例１，２において、定植３年目の１０株当たりの規格別収穫本数を比較例１の同本数とともに示す表図である。
【図７】本発明の実施例１，２において、定植３年目の単位面積換算規格別出荷本数を比較例１の同本数とともに示す表図である。
【図８】本発明の実施例１，２において、定植３年目のハダニ類寄生葉率を比較例１の同寄生葉率とともに示す表図である。
【図９】本発明の別の実施例を示し、（ａ）は株を１条にした例を示す平面図、（ｂ）は株を４条にした例を示す平面図である。
【図１０】従来のリンドウの栽培方法を示す平面図である。
【図１１】各県で現在実施されているリンドウの栽培条件及び栽植密度を、各県試験場成績書に基づいてまとめたデータを示す表図である。
【発明を実施するための形態】
【００２５】
以下、添付図面に基づいて、本発明の実施の形態に係るリンドウの栽培方法について詳細に説明する。
図１乃至図３には、本発明の実施の形態に係るリンドウの栽培方法を示している。この栽培方法は、春夏秋冬のある国内において、露地栽培によるものである。
【００２６】
また、リンドウには、開花時期の違いにより、極早生（開花時期６月下旬〜７月下旬），早生（開花時期７月下旬〜８月上旬），中生（開花時期８月中旬〜８月下旬），晩生（開花時期９月上旬〜９月下旬），極晩生（開花時期９月下旬〜１１月上旬）の品種があり、ここでは、晩生のリンドウを基準に一例を示す。
【００２７】
実施の形態に係るリンドウの栽培方法は、基本的には、１年目に、リンドウの苗を定植して株を養成する株養成を行い、２年目以降の各年に、株から発生し育成されて着花した茎をその一部の茎を残して収穫し、その残した茎で再び株養成を行うようにしている。
【００２８】
詳しくは、図１及び図２に示すように、実施の形態に係るリンドウの栽培方法は、通路２を挟んで複数列の畝１を所定の間隔（畝間寸法）で形成し、リンドウの苗Ｎから養成される株Ｋが、畝１にその長手方向に沿い所定の間隔（株間寸法）で複数条状に設けられ、且つ、株の条が所定間隔（条間寸法）で複数列設けられるように定植する。実施の形態では、株の条が畝に２条設けられるようにしている。そして、このリンドウの苗を、隣接する株の条同士において、畝の長手方向に沿う株の位相がずれて配置されるように定植する。
【００２９】
ここで、畝の畝間寸法をＡとし、畝の長手方向に沿う株の株間寸法をＢとし、株Ｋの条の条間寸法をＣとしたとき、Ａ＝１４０ｃｍ〜１８０ｃｍ、Ｂ＝２５ｃｍ〜４０ｃｍ、Ｃ＝２５ｃｍ〜４５ｃｍにしている。また、隣接する株の条同士において、株の位相が、（１／２）Ｂずれるようにしている。そして、リンドウの苗を、養成される株が１アール当たり２５０〜５００株になるように定植する。
【００３０】
次に、図３を用い、経時的に詳しく説明する。
＜１年目＞
１年目において、リンドウの苗を畝に定植する（６月）。リンドウの苗は、育苗施設において、３月に播種して育苗されたものを用いる。定植後、翌年まで株を養成する株養成を行う。
【００３１】
＜２年目＞
３月〜４月頃に、１年目に養成された株から約１０〜１５本程度の芽が萌芽してくる。そして、４月〜５月頃に、株仕立てを行う。ここでは、株仕立ては、芽を摘んで所定本数残す。実施の形態では１０本残し、他は株元で折り取る。この場合、株の状況に応じ、あるいは意図的に、株仕立てを行わずにそのまま放置する放任株仕立てにすることができる。株毎に異なった仕立てにしてよく、また、全株を放任株仕立てにしてよい。春先のリンドウは、草丈が１０ｃｍを超えた頃から急速に伸長し、僅か１０日ほどで草丈が３０ｃｍにも達する。そのため、株仕立ては、草丈が２０ｃｍに満たない頃に、一気に行う。
その後、開花時期の８月下旬頃まで育成する。育成に当たっては、図示しないが、畝に多数の支柱を立設してこれにネットを張設し、このネットで株から育成される茎を支持して茎の倒伏を防止しながら育成を行う。
【００３２】
この場合、図１及び図２に示すように、隣接する株の条同士においては、畝の長手方向に沿う株の位相がずれて配置され、所謂千鳥状に配置されるので、畝の長手方向に直交する方向に、従来のように一対の株が並んで配置されることがなく、株の周囲のスペースを大きくとることができることから、茎が密集してしまう事態を解消することができる。特に、株間寸法ＢがＢ＝２５ｃｍ〜４０ｃｍとなり、従来の１５ｃｍ〜２０ｃｍと比較して、株間が大幅に広くなり、より一層、茎が密集してしまう事態を解消することができる。また、隣接する株の条同士において、株の位相が、（１／２）Ｂずれるようにしているので、隣接する株の条同士においても株間を一定のものにすることができ、より一層、茎が密集してしまう事態を解消することができる。
【００３３】
そのため、茎の生育を円滑に行わせることができ、生育が不十分な茎や、曲がった茎が規格外品として生じる事態を低減することができる。また、この育成過程では、薬剤散布を行うが、株の周囲のスペースを大きくとることができることから、それだけ、薬剤散布が不十分になる事態を防止することができる。更に、株の周囲のスペースを大きくとることができることから、株仕立てする際には、その作業がやりやすくなり、それだけ、作業性を向上させ、株仕立て作業に要する時間を少なくすることができ、作業効率を大幅に向上させることができる。
【００３４】
図３に示すように、開花期（８月〜９月）に至れば、適時に着花した茎を１株当たり数本収穫して他の茎を残す。実施の形態では、茎を３本収穫し、残りは翌年伸びる芽が充実するように残しておく。この場合、株の周囲のスペースを大きくとることができることから、収穫を容易に行うことができ、作業性を向上させることができる。この２年目においては、多少の収穫を得ることができる。そして、この茎の収穫後に、花のある部分を折って除去し、翌年まで株養成を行う。
【００３５】
＜３年目＞
３月〜４月頃に、２年目に養成された株から約３０本程度の芽が萌芽してくる。そして、４月〜５月頃に、株仕立てを行う。ここでは、株仕立ては、芽を摘んで所定本数以上残す。実施の形態では２０本以上残し、他は株元で折り取る。この場合、上記と同様に、株の状況に応じ、あるいは意図的に、株仕立てを行わずにそのまま放置する放任株仕立てにすることができる。株毎に異なった仕立てにしてよく、また、全株を放任株仕立てにしてよい。その後、開花時期の８月下旬頃まで育成する。育成に当たっては、図示しないが、上記と同様に、畝に多数の支柱を立設してこれにネットを張設し、このネットで株から育成される茎を支持して茎の倒伏を防止しながら育成を行う。
【００３６】
この場合も、上記と同様に、隣接する株の条同士においては、畝の長手方向に沿う株の位相がずれて配置され、所謂千鳥状に配置されるとともに、株間寸法ＢがＢ＝２５ｃｍ〜４０ｃｍと、株間が大幅に広くなり、しかも、隣接する株の条同士において、株の位相が、（１／２）Ｂずれるようにしているので、株の周囲のスペースを大きくとることができることから、茎が密集してしまう事態を解消することができる。
【００３７】
そのため、茎の生育を円滑に行わせることができ、生育が不十分な茎や、曲がった茎が規格外品として生じる事態を低減することができる。また、この育成過程では、薬剤散布を行うが、株の周囲のスペースを大きくとることができることから、それだけ、薬剤散布が不十分になる事態を防止することができる。更に、株の周囲のスペースを大きくとることができることから、株仕立てする際には、その作業がやりやすくなり、それだけ、作業性を向上させ、株仕立て作業に要する時間を少なくすることができ、作業効率を大幅に向上させることができる。
【００３８】
開花期（８月〜９月）に至れば、適時に着花した茎を１株当たり数本残して、他の茎を全部収穫する。実施の形態では、翌年伸びる芽が充実するように茎を３本残し、他の茎を全部収穫する。そして、この茎の収穫後に、花のある部分を折って除去し、翌年まで株養成を行う。この場合、株の周囲のスペースを大きくとることができることから、収穫を容易に行うことができ、作業性を向上させることができる。また、上記の通り、茎が密集していないので、生育が不十分な茎や、曲がった茎が規格外品として生じる事態を低減することができ、出荷の対象にならない病害虫の発生した茎が生じる度合いを低減することができることから、１株当たりのリンドウの出荷可能本数を増加させることができ、規格品の実質的収量を大幅に向上させることができる。更に、作業性もよいことから、それだけ、コストダウンを図ることができる。
【００３９】
特に、リンドウの苗を、養成される株が１アール当たり２５０〜５００株になるように定植しているが、これは、従来方法と比較して、リンドウの苗の定植本数をおよそ半減するものである。しかしながら、上記の通り、生育が不十分な茎や、曲がった茎が規格外品として生じる事態を低減することができ、出荷の対象にならない病害虫の発生した茎が生じる度合いを低減することができることから、株仕立て本数が２０本以上（放任株仕立てを含む）にすることができるので、このことにより、全体の出荷可能本数を従来並みからそれ以上にすることができるとともに、定植本数が減るので、種苗費を大幅に減らし、生育時の農薬量も減らすことが期待でき、コストダウンを図ることができる。また、従来の栽培方法に比較して、規格の等級の高い花の収量比率が高くなり、栽培効率を大幅に向上させることができる。
【００４０】
＜４年目以降＞
３年目と同様に育成，収穫，株養成を行う。上記の通り、４年目以降も収量を確保することができる。株の経済的寿命が到来したならば、適宜に植え替えを行えばよい。
【実施例】
【００４１】
次に、実施例１，２について比較例（従来方法）１，２とともに説明する。実施例１，２及び比較例１，２ともに、リンドウの品種として「いわてＬＢ−３号」を用い、下記の条件で行った。また、実施例１，２及び比較例１，２ともに、共通する条件としては、１年目の定植を平成２８年６月に行った。施肥及び農薬散布は同様の条件にした。
【００４２】
＜実施例１＞
畝間寸法Ａを、Ａ＝１６０ｃｍ（床幅：８０ｃｍ、通路幅：８０ｃｍ）、株間寸法Ｂを、Ｂ＝３６ｃｍ、条間寸法Ｃを、Ｃ＝３０ｃｍにした。栽培株数を１アール当たり３４７株とした。２年目の株仕立ては、放任株仕立てとした。また、２年目の収穫は行わずに、株養成に徹した。３年目は芽を１株当たり２０本残す株仕立てを行った。
【００４３】
＜実施例２＞
３年目の株仕立てを、実施例１と異なり、放任株仕立てとした。他は実施例１と同様である。
【００４４】
＜比較例１＞
畝間寸法Ａを、Ａ＝１６０ｃｍ（床幅：８０ｃｍ、通路幅：８０ｃｍ）、株間寸法Ｂを、Ｂ＝１５ｃｍ、条間寸法Ｃを、Ｃ＝３０ｃｍにした。栽培株数を１アール当たり８３３株とした。２年目の株仕立ては、芽を１０本残す株仕立てとした。また、２年目の収穫は行わずに、株養成に徹した。３年目は芽を１株当たり１０本残す株仕立てを行った。
【００４５】
＜比較例２＞
２年目の株仕立てを、比較例１と異なり、放任株仕立てとした。他は比較例１と同様である。
【００４６】
実施例及び比較例において、３年目（平成３０年）の同時期に、育成状況を把握し、比較した。
（１）発生した茎の本数
実施例１，２及び比較例１，２において、リンドウの生育が旺盛となる定植３年目の株仕立て前に、株から発生した茎の本数を計数した。結果を図４に示す。実施例１，２では、比較例１，２に比較して１０本以上多くなる。
【００４７】
（２）規格別収穫本数
実施例１，２及び比較例１において、１０株当たりの規格別収穫本数（３本残した養成茎及び病害虫の被害については考慮しない）を計数した。規格は、図５に示す岩手県の規格のものを用いた。結果を図６に示す。
この結果から、実施例１，２は、何れも比較例１（従来栽培方法）よりも、規格品（６０以上）の数が多くなっている。特に、実施例１では、最上位規格である８０階級が比較例（従来栽培）の約２．２倍となっている。これは、実施例において、従来の栽培方法に比較して、規格の等級の高い花の収量比率が高くなり、栽培効率を大幅に向上させることができることを示している。
【００４８】
（３）単位面積当たりの規格別出荷本数
実施例１，２及び比較例１において、ハダニ類を含めた各種病害虫の被害等が発生して出荷不可能な茎を除いた１アール当たり換算の出荷可能本数を示す。結果を図７に示す。
この結果から分かるように、実施例１では、総本数が比較例１の約１．３倍となり、特に、最上位規格の８０階級が比較例の約１．６倍となっている。実施例２においても好成績を収めている。
【００４９】
（４）ハダニ類寄生葉率
実施例１，２及び比較例１において、リンドウの病害虫、特にハダニ類に着目し、寄生葉率（ハダニ類が寄生した葉数）を調べた。
結果を図８に示す。
上記図８からも分かるように、疎植栽培では、ハダニ類の寄生葉率が従来栽培の３割となっている。このことから、疎植栽培により従来栽培では農薬がかかりにくかった条と条の間の内側にも、農薬がかかり易くなり被害を減らすことができる。
【００５０】
（５）種苗費の比較
最後に、農業経営上の試算をする。まず、１アール当たりの種苗費は、リンドウの苗の価格を３０円／株とすると、比較例（従来栽培）の８３３株×３０円／株＝２４，９９０円に対し、実施例では、３４７株×３０円／株＝１０，４１０円となり、１万円以上安くなる。また、１アール当たり労働時間は、従来栽培では定植に１．６時間、株仕立てに３．７時間かかるとされているが、実施例では、それぞれ半減が期待できる。
【００５１】
尚、上記実施の形態において、畝上に列を２条形成しているが、必ずしもこれに限定されるものではなく、例えば、図９（ａ）に示す１条にしたものは本発明に含まれないが、図９（ｂ）に示すように、変則的な４条にするなど、２５０〜５００株／アールの範囲内で、農薬のかかりやすさに留意して定植位置を配し、株仕立て本数を２０本以上とすれば、条数はどのように定めてもよく、種々の改変が可能である。また、上記実施の形態において、畝間寸法Ａ，株間寸法Ｂ，条間寸法Ｃ等の数値は、必ずしもこれに限定されるものではなく、適宜に設定してよいことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００５２】
Ｎ  リンドウの苗
Ｋ  株
1  畝
Ａ  畝間寸法
Ｂ  株間寸法
Ｃ  条間寸法
【要約】      （修正有）【課題】茎が密集しないように栽培できるようにして、茎の生育を十分に行わせるようにし、薬剤散布を容易にして病害虫の発生した茎の発生を抑制し、もって、１株当たりの規格品の実質的収量の向上を図ったリンドウの栽培方法を提供する。【解決手段】１年目に、リンドウの苗Ｎを定植して株Ｋを養成する株養成を行い、２年目以降の各年に、株Ｋから発生し育成されて着花した茎をその一部の茎を残して収穫し、その残した茎で収穫後に再び株養成を行うようにした栽培方法において、通路２を挟んで複数列の畝１を所定の畝間寸法Ａで形成し、リンドウの苗Ｎから養成される株Ｋが所定の株間寸法Ｂで複数条状に設けられ、株Ｋの条が所定の条間寸法Ｃで複数列設けられ、隣接する株Ｋの条同士において長手方向に沿う株Ｋの位相がずれて配置されるように定植するとともに、養成される株Ｋが１アール当たり２５０〜５００株になるように定植する。【選択図】図１【図１】
0006881721.tif 000002
【図２】
0006881721.tif 000003
【図３】
0006881721.tif 000004
【図４】
0006881721.tif 000005
【図５】
0006881721.tif 000006
【図６】
0006881721.tif 000007
【図７】
0006881721.tif 000008
【図８】
0006881721.tif 000009
【図９】
0006881721.tif 000010
【図１０】
0006881721.tif 000011
【図１１】
0006881721.tif 000012